(57)【要約】      （修正有）【課題】ハンドルの回動範囲が制限されても軟質棒鋼を簡便に且つ効率良く折り曲げ操作することができる軟質棒鋼の折り曲げ具を提供する。【解決手段】ハンドルの一端に設けた頭部４内に回動可能に収容保持され外周にラチェット歯を備え、且つ頭部４の両側面から突出した突出部Ｈ１，Ｈ２に軟質棒鋼を側面から挿嵌する幅寸法の異なる凹溝Ｇ１，Ｇ２を形成したヘッド部材Ｈと、ラチェット歯に対して何れか一方が係合可能となる一対の係合爪を有すると共に両係合爪の外側近傍にあってハンドル頭部４の両側端から外方に向けて突設した一対の操作部を有し、操作部の切替え操作によりヘッド部材Ｈの回動方向を切替える切替え部材５と、切替え部材５の切替え操作により何れか一方の係合爪がラチェット歯に係合したとき、ヘッド部材Ｈの何れか一方への回動方向をロックするようにしたロック部材とを有している。【選択図】図１
0003137262.tif 000002
【実用新案登録請求の範囲】
【請求項１】
一端が固定された軟質棒鋼を一定位置から折り曲げる折り曲げ具であって、
該折り曲げ具１は、一定長さを有するハンドル２の一端に設けた頭部４内に回動可能に収容保持され外周にラチェット歯Ｒを備えたヘッド部材Ｈと、上記ラチェット歯Ｒに対して何れか一方が係合可能となる一対の係合爪Ｔ１，Ｔ２を有すると共に上記両係合爪Ｔ１，Ｔ２の外側近傍にあって上記ハンドル頭部４の両側端から外方に突設した一対の操作部６ａ，６ｂを有し、該操作部６ａ，６ｂの切替え操作により上記ヘッド部材Ｈの回動方向を切替える切替え部材５と、該切替え部材５の切替え操作により何れか一方の係合爪Ｔ１，Ｔ２が上記ラチェット歯Ｒに係合したとき上記ヘッド部材Ｈの何れか一方への回動方向をロックするロック部材とを有して成り、
上記ヘッド部材Ｈは、上記ハンドル頭部４の両側面から突出する一対の突出部Ｈ１，Ｈ２を有し、該両突出部Ｈ１，Ｈ２端部には上記軟質棒鋼の側面に挿嵌する幅寸法の異なる凹溝Ｇ１，Ｇ２がそれぞれ形成されていることを特徴とする軟質棒鋼の折り曲げ具。
【請求項２】
上記ハンドル２は、その他端側が尖端状に形成されると共に上記尖端部１４の基部には延長ハンドル１８の一端が着脱可能に装着されるようになっていることを特徴とする請求項１に記載の軟質棒鋼の折り曲げ具。
【考案の詳細な説明】
【技術分野】
【０００１】
本考案は、一端が固定された軟質棒鋼を一定位置から折り曲げる折り曲げ具に関する。
【背景技術】
【０００２】
図５は傾倒立設した縦鉄筋を従来の鉄筋折り曲げ具により曲げ修正する状態を示す型枠の断面図であり、図６は従来の鉄筋折り曲げ具の頭部形状を示す部分斜視図である。図５に示すように、建物の基礎Ｄを構築する一対の型枠３０２，３０３内には格子状に組み込まれた縦鉄筋３０１の根部がベースコンクリート３０４のマーカーＭに沿って約１ｃｍ程度埋設固定された状態で上記型枠３０２，３０３内に垂直に立設保持されている。そして、上記型枠３０２，３０３上端にはアンカーボルト支持枠３０７が跨設されている。
【０００３】
上記縦鉄筋の根部は、ベースコンクリート３０４に固定されて型枠３０２，３０３内に立設保持されるが、全ての縦鉄筋３０１は必ずしも垂直に保持されていないことから、上記縦鉄筋３０１がどちらかに傾倒した状態で立設保持されると、コンクリートＣを打設した時に型枠３０２，３０３の一方の内壁との間隔が狭くなった部分に比較的大きな砕石ＳがつかえてコンクリートＣの流動が悪くなり、養生後に型枠３０２，３０３を外した際にコンクリートＣの表面に溝部が形成されてその部分が弱くなるため、その溝部にコンクリートを充填する作業が余儀なくされる。
【０００４】
そこで従来は、傾倒した上記縦鉄筋３０１を人為的に折り曲げ修正する鉄筋折り曲げ具３０６が使用されていた（特許文献１参照）。
【０００５】
【特許文献１】特開２００５−１７７８３８号公報
【考案の開示】
【考案が解決しようとする課題】
【０００６】
ところで、特許文献１に示される鉄筋折り曲げ具３０６は、図６に示すように一定長さのハンドル３０８の一端に設けられた頭部３１０に上記縦鉄筋３０１を挿嵌する横溝３１２が長手方向と直交する方向に形成されている。
【０００７】
そこで、上記型枠３０２，３０３内に傾倒状態で立設保持した上記縦鉄筋３０１を型枠３０２，３０３内の中央に折り曲げ修正する作業を行うに際は、図６に示す鉄筋折り曲げ具３０６頭部３１０の横溝３１２を上記縦鉄筋３０１に挿嵌するためにハンドル３０８が上記縦鉄筋３０１と交叉した状態となる。
【０００８】
このような状態で、上記型枠３０２，３０３内で上記縦鉄筋３０１をハンドル３０８により折り曲げ操作するには、上記ハンドル３０８の回動範囲が制限されるため、作業効率が極めて低下する問題を有していた。
【０００９】
従って本考案の目的とするところは、ハンドルの回動範囲が制限されても軟質棒鋼を簡便に且つ効率良く折り曲げ操作することができる軟質棒鋼の折り曲げ具を提供するにある。
【課題を解決するための手段】
【００１０】
上記目的を解決する為に本考案は次の技術的手段を有する。即ち、実施例に対応する添付図面中の符号を用いて説明すると、本考案の請求項１に記載の軟質棒鋼の折り曲げ具は、一端が固定された軟質棒鋼を一定位置から折り曲げる折り曲げ具であって、該折り曲げ具１は、一定長さを有するハンドル２の一端に設けた頭部４内に回動可能に収容保持され外周にラチェット歯Ｒを備えたヘッド部材Ｈと、上記ラチェット歯Ｒに対して何れか一方が係合可能となる一対の係合爪Ｔ１，Ｔ２を有すると共に上記両係合爪Ｔ１，Ｔ２の外側近傍にあって上記ハンドル頭部４の両側端から外方に突設した一対の操作部６ａ，６ｂを有し、該操作部６ａ，６ｂの切替え操作により上記ヘッド部材Ｈの回動方向を切替える切替え部材５と、該切替え部材５の切替え操作により何れか一方の係合爪Ｔ１，Ｔ２が上記ラチェット歯Ｒに係合したとき上記ヘッド部材Ｈの何れか一方への回動方向をロックするロック部材とを有して成り、上記ヘッド部材Ｈは、上記ハンドル頭部４の両側面から突出する一対の突出部Ｈ１，Ｈ２を有し、該両突出部Ｈ１，Ｈ２端部には上記軟質棒鋼の側面に挿嵌する幅寸法の異なる凹溝Ｇ１，Ｇ２がそれぞれ形成されていることを特徴とする軟質棒鋼の折り曲げ具である。
上記の軟質棒鋼の折り曲げ具によれば、折り曲げ具により軟質棒鋼を一定位置から折り曲げるに際し、ハンドル頭部４片側面から突出した突出部Ｈ１，Ｈ２の凹溝Ｇ１，Ｇ２に軟質棒鋼を挿嵌して上記ハンドル２を回動操作する。このハンドル２を回動操作する際は、操作部６ａ，６ｂにより切替え部材５を切替え操作して何れか一方の係合爪Ｔ１，Ｔ２をヘッド部材Ｈのラチェット歯Ｒに係合させて軟質棒鋼の曲げ方向に対応するヘッド部材Ｈの回動方向をロックすることができ、上記ハンドル２の回動操作を繰り返しつつ上記軟質棒鋼が折り曲げられる。
【００１１】
本考案の請求項２に記載の軟質棒鋼の折り曲げ具は、上記ハンドル２は、その他端側が尖端状に形成されると共に上記尖端部１４の基部には延長ハンドル１８の一端が着脱可能に装着されるようになっていることを特徴とする軟質棒鋼の折り曲げ具である。
上記の軟質棒鋼の折り曲げ具によれば、軟質棒鋼の折り曲げに際し、ハンドル４の他端側に延長ハンドル１８の一端を装着し、必要に応じてハンドル長さを延長することができる。
【考案の効果】
【００１２】
請求項１に記載の考案によれば、軟質棒鋼を一定位置から折り曲げるに際し、切替え部材を切替え操作して何れか一方の係合爪をヘッド部材のラチェット歯に係合させて軟質棒鋼の曲げ方向に対応するヘッド部材の回動方向をロックすることで、ハンドルの回動範囲が制限されても回動操作を繰り返しつつ軟質棒鋼を簡便に且つ効率良く折り曲げることができる。
【００１３】
請求項２に記載の考案によれば、ハンドルの他端側に延長ハンドルの一端を着脱可能に装着することで、必要に応じてハンドル長さを延長して回動モーメントを増大し、回動範囲を拡大することができる。
【考案を実施するための最良の形態】
【００１４】
本考案の実施例を以下に説明する。
【実施例】
【００１５】
図１〜図４には、本考案の実施例が示されている。図１は本考案の一実施形態に係る軟質棒鋼の折り曲げ具の分解斜視図、図２は切替え部材の切替え操作によりヘッド部材の一方への回動をロックした状態を示す折り曲げ具頭部の断面図、図３は切替え部材の切替え操作によりヘッド部材の他方への回動をロックした状態を示す折り曲げ具頭部の断面図、図４は切替え部材が中立状態に保持されてヘッド部材の回動がフリーになっている状態を示す折り曲げ具頭部の断面図である。
【００１６】
図１〜図４において、符号１は本考案の軟質棒鋼の折り曲げ具を示しており、この折り曲げ具１は、上記図５に示すように、一端がベースコンクリート３０４に固定されて型枠３０２，３０３内に立設保持される縦鉄筋３０１となる軟質棒鋼を一定位置から折り曲げるようにしたものであって、一定長さを有するハンドル２の一端に設けた頭部４内には、外周にラチェット歯Ｒを備えたヘッド部材Ｈが回動可能に収容保持されている。
【００１７】
上記ヘッド部材Ｈは、上記ハンドル２の頭部４両側面から突出さする一対の突出部Ｈ１，Ｈ２を有し、該両突出部Ｈ１，Ｈ２の端部には上記軟質棒鋼を側面から挿嵌する幅寸法の異なる凹溝Ｇ１，Ｇ２がそれぞれ形成されており、直径の異なる軟質棒鋼に対応している。
【００１８】
更に、上記頭部４内には、ヘッド部材Ｈのラチェット歯Ｒに対して何れか一方が係合可能となる一対の係合爪Ｔ１，Ｔ２を有すると共に、上記両係合爪Ｔ１，Ｔ２の外側近傍には一対の操作部６ａ，６ｂが上記ハンドル頭部４の両側端から外方に突設した切替え部材５が回動軸８に正逆回動可能に軸支されている。
【００１９】
また、上記切替え部材５は、上記両係合爪Ｔ１，Ｔ２と反対側に円弧状のカム部１０が突設しており、このカム部１０は、これに対応して上記ハンドル２内に長手方向に形成された収容穴１２内の圧縮ばねＳＰと、この圧縮ばねＳＰにより押圧付勢されるボールＢにより構成されるロック部材を介して常時押圧されている。
【００２０】
図２において、切替え部材５を第２操作部６ｂの操作により右方向（時計回り）に回動した状態では、第２係合爪Ｔ２がラチェット歯Ｒに係合すると同時に上記カム部１０の一方側斜面がボールＢにより押圧付勢されてヘッド部材Ｈの反時計回り（矢印方向）の回動がロックされ、時計回りはフリーに回動できるようになっている。
【００２１】
また、図３において、切替え部材５を第１操作部６ａの操作により左方向（反時計回り）に回動した状態では、第１係合爪Ｔ１がラチェット歯Ｒに係合すると同時に上記カム部１０の他方側斜面がボールＢにより押圧付勢されてヘッド部材Ｈの時計回り（矢印方向）の回動がロックされ、反時計回りはフリーに回動できるようになっている。
【００２２】
そこで、軟質棒鋼をその直径に対応する何れかの突出部Ｈ１，Ｈ２の凹溝Ｇ１，Ｇ２の挿嵌させて、図２に示すようにヘッド部材Ｈの反時計回り（矢印方向）の回動がロックされた状態では、ハンドル２を反時計回りに回動した時に軟質棒鋼を折り曲げることができる。
【００２３】
また、図３に示すようにヘッド部材Ｈの時計回り（矢印方向）の回動がロックされた状態では、ハンドル２を時計回りに回動した時に軟質棒鋼を折り曲げることができる。
【００２４】
このように、軟質棒鋼を一定位置から折り曲げるに際し、切替え部材５を切替え操作して何れか一方の係合爪Ｔ１，Ｔ２をヘッド部材Ｈのラチェット歯Ｒに係合させて軟質棒鋼の曲げ方向に対応するヘッド部材Ｈの回動方向をロックすることで、ハンドル２の回動範囲が制限されても回動操作を繰り返しつつ軟質棒鋼を簡便に且つ効率良く折り曲げることができる。
【００２５】
一方、図１に示すように折り曲げ具１のハンドル２は、上記ヘッド部材Ｈ側と反対側に尖端状の「しの１４」が形成されると共に上記「しの１４」の基部外周には延長ハンドル１８の一端が着脱可能に装着されている。
【００２６】
上記延長ハンドル１８は管状に形成されて一端内周に雌ねじ１６ｂが螺設されており、これが上記「しの１４」の基部外周に螺設された雄ねじ１６ａに螺合されるようになっている。
【００２７】
これにより、ハンドル２の他端側に延長ハンドル１８の一端を着脱可能に装着することで、必要に応じてハンドル２の長さを延長して回動モーメントを増大し、回動範囲を拡大することができる。
【図面の簡単な説明】
【００２８】
【図１】本考案の一実施形態に係る軟質棒鋼の折り曲げ具の分解斜視図である。
【図２】同じく、切替え部材の切替え操作によりヘッド部材の一方への回動をロックした状態を示す折り曲げ具頭部の断面図である。
【図３】同じく、切替え部材の切替え操作によりヘッド部材の他方への回動をロックした状態を示す折り曲げ具頭部の断面図である。
【図４】同じく、切替え部材が中立状態に保持されてヘッド部材の回動がフリーになっている状態を示す折り曲げ具頭部の断面図である。
【図５】傾倒立設した縦鉄筋を従来の鉄筋折り曲げ具により曲げ修正する状態を示す型枠の断面図である。
【図６】従来の鉄筋折り曲げ具の頭部形状を示す部分斜視図である。
【符号の説明】
【００２９】
１            軟質棒鋼の折り曲げ具
２            ハンドル
４            ハンドル頭部
５            切替え部材
６ａ          第１操作部
６ｂ          第２操作部
８            回動軸
１０          カム部
１２          収容穴
１８          延長ハンドル
Ｂ            ボール
Ｃ            コンクリート
Ｇ１，Ｇ２    凹溝
Ｄ            基礎
Ｈ            ヘッド部材
Ｈ１          第１突出部
Ｈ２          第２突出部
Ｒ            ラチェット歯
ＳＰ          圧縮ばね
Ｔ１          第１係合爪
Ｔ２          第２係合爪
【図１】
0003137262.tif 000003
【図２】
0003137262.tif 000004
【図３】
0003137262.tif 000005
【図４】
0003137262.tif 000006
【図５】
0003137262.tif 000007
【図６】
0003137262.tif 000008